(57)【要約】  本発明は、シューアッパー（１）とソール（２）が設けられているシューズ、特にスポーツシューズであって、ソール（２）が、シューアッパー（１）に接合されている支持部分または内側部分（２′）と、該支持部分または内側部分（２′）に接合されているミッドソール（２″）と、該ミッドソール（２″）に接合されているアウターソール（２′′′）とを有している形式のものに関する。簡単な製造手段においてシューズのばね・緩衝特性を働かせるために、本発明によれば、ミッドソール（２″）が、シューズの接地面の少なくとも一部分にわたって専ら緩衝エレメントとして形成されていて、この緩衝エレメントが、相並んで配置された第１エレメント（３）を有していて、この第１エレメント（３）が、主として負荷方向（Ｒ）で緩衝エレメントに負荷がかかっていない状態において、所定の高さ（Ｈ）にわたって延在していて、中空体として形成されていて、受容室（４）を規定していて、この受容室（４）内に所属の第２エレメント（５）が、第１エレメント（３）よりも小さい寸法の横断面で少なくとも部分的に進入するようになっており、第２エレメント（５）が、主として負荷方向（Ｒ）で緩衝エレメントに負荷がかかっていない状態において、所定の高さ（ｈ）にわたって延在しおり、第１エレメント（３）に対して同心的に配置されている。
2008528074.tif 000002
【特許請求の範囲】
【請求項１】
シューアッパー（１）とソール（２）とが設けられているシューズ、殊にスポーツシューズであって、ソール（２）が、シューアッパー（１）に接合されている支持部分または内側部分（２′）と、該支持部分または内側部分（２′）に接合されているミッドソール（２″）と、該ミッドソール（２″）に接合されているアウターソール（２′′′）とを有している形式のものにおいて、
ミッドソール（２″）が、シューズの接地面の少なくとも一部分にわたって専ら緩衝エレメントとして形成されており、該緩衝エレメントが、相並んで配置されている第１エレメント（３）を有しており、該第１エレメント（３）が、主として負荷方向（Ｒ）で緩衝エレメントに負荷がかかっていない状態において、所定の高さ（Ｈ）にわたって延在して、中空体として形成され、受容室（４）を規定しており、該受容室（４）内に、付属の第２エレメント（５）が、第１エレメント（３）よりも小さい寸法の横断面で少なくとも部分的に進入するようになっており、第２エレメント（５）が、主として負荷方向（Ｒ）で緩衝エレメントに負荷がかかっていない状態において、所定の高さ（ｈ）にわたって延在しおり、第１エレメント（３）に対して同心的に配置されていることを特徴とするシューズ。
【請求項２】
アウターソール（２′′′）が、複数の個別のソール部分により形成され、各ソール部分が、第２エレメント（５）の、第１エレメント（３）とは反対側の端部に配置されているか、または第１エレメント（３）の、第２エレメント（５）とは反対側の端部に配置されている、請求項1記載のシューズ。
【請求項３】
負荷方向（Ｒ）に対して垂直な一断面において、アウターソール（２′′′）の個別の部分の形状が、第２エレメント（５）の形状または第１エレメント（３）の形状に相応している、請求項2記載のシューズ。
【請求項４】
第２エレメント（５）が、中空体としても形成されている、請求項１から３までのいずれか一項記載のシューズ。
【請求項５】
第２エレメント（５）が、完全に中実な部分、または少なくとも十分に中実な部分として形成されている、請求項１から３までのいずれか一項記載のシューズ。
【請求項６】
互いに対応配置されている２つのエレメント（３，５）が、弾性的な接合区分（６）を介して互いに接合されており、該接合区分（６）が、第１エレメント（３）と第２エレメント（５）との間にのみ延在している、請求項１から５までのいずれか一項記載のシューズ。
【請求項７】
第１エレメント（３）と第２エレメント（５）とが、それぞれ接合区分（６）と共に気密な室を形成する、請求項６項記載のシューズ。
【請求項８】
負荷方向（Ｒ）に対して垂直な一断面において、第１エレメント（３）と第２エレメント（５）とが、互いに対応する形状を有している、請求項１から７までのいずれか一項記載のシューズ。
【請求項９】
負荷方向（Ｒ）に対して垂直な一断面において、第１エレメント（３）と第２エレメント（５）とが、多角形、殊に六角形の形状を有している、請求項８記載のシューズ。
【請求項１０】
負荷方向（Ｒ）に対して垂直な一断面において、第１エレメント（３）と第２エレメント（５）とが円形を有している、請求項８記載のシューズ。
【請求項１１】
第１エレメント（３）の側方の領域が、互いに接合されているか、または第１エレメント（３）の側方の制限壁が、それぞれ共通の区分から形成される、請求項１から１０までのいずれか一項記載のシューズ。
【請求項１２】
第１エレメント（３）および／または第２エレメント（５）が、緩衝エレメントに負荷がかかっていない状態において、少なくとも部分的に異なる高さ（Ｈ，ｈ）を有している、請求項１から１１までのいずれか一項記載のシューズ。
【請求項１３】
負荷方向（Ｒ）に対して垂直な一平面において、接合区分（６）が、緩衝エレメントに負荷がかかっていない状態で平坦に延びている、請求項１から１２までのいずれか一項記載のシューズ。
【請求項１４】
負荷方向（Ｒ）に対して垂直な一平面において、接合区分（６）が、緩衝エレメントに負荷がかかっていない状態で湾曲して延びている、請求項１から１２までのいずれか一項記載のシューズ。
【請求項１５】
第１エレメント（３）と、接合区分（６）と、第２エレメント（５）とが、一体に形成されている、請求項１から１４までのいずれか一項記載のシューズ。
【請求項１６】
第１エレメント（３）と、接合区分（６）と、第２エレメント（５）とが、１回の共通の射出成形プロセスにより製造されている、請求項１５項記載のシューズ。
【請求項１７】
第１エレメント（３）の、第２エレメント（５）とは反対側の端部が、シールシート（７）と接合されている、請求項１から１６までのいずれか一項記載のシューズ。
【請求項１８】
エレメント（３，５）が、プラスチック、殊に熱可塑性材料から成っている、請求項１から１７までのいずれか一項記載のシューズ。
【請求項１９】
プラスチックとして、ポリエチレン、ポリプロピレン、ポリブタン、ポリアミド、ポリウレタンまたはこれらの少なくとも２つのプラスチックの混合物が用いられている、請求項１８記載のシューズ。
【請求項２０】
プラスチックが半透明または透明である、請求項１８または１９記載のシューズ。
【請求項２１】
アウターソール（２′′′）が、プラスチック、好ましくはポリエチレン、ポリプロピレン、ポリブタン、ポリアミド、ポリウレタンまたはこれらの少なくとも２つのプラスチックの混合物から成っており、材料が、半透明でないかまたは透明でない、請求項１から２０までのいずれか一項記載のシューズ。
【請求項２２】
第１エレメント（３）と、第２エレメント（５）と、接合区分（６）との素材、および第１エレメント（３）と、第２エレメント（５）と、接合区分（６）との部分の幾何学的な寸法が、緩衝エレメントの緩衝特性を規定するために選択されている、請求項１から２１までのいずれか一項記載のシューズ。
【発明の詳細な説明】
【技術分野】
【０００１】
本発明は、シューズ、特にスポーツシューズであって、シューアッパーとソールとが設けられていて、この場合、ソールが、シューアッパーに接合されている支持部分または内側部分と、この支持部分または内側部分に接合されているミッドソールと、このミッドソールに接合されているアウターソールとを有している。
【０００２】
この種のシューズは先行技術において十分公知である。さらに、シューズのばね・緩衝特性を所望の基準に基づき発揮させるために、特にミッドソール内に緩衝エレメントを組み込むので、ソールにこれに関して規定された特性が付与されるということが公知である。
【０００３】
国際公開第０３／０９２４２３号パンフレットからシューズ、特にスポーツシューズのための特別な構造を有する緩衝エレメントが公知である。この緩衝エレメントは相並んで配置された複数の個別エレメントを有している。これらの個別エレメントは、それぞればね・緩衝室をピストン・シリンダシステムの形式に基づき形成する。形状において相応な第１エレメントと第２エレメントとが、接合区分を介して互いに接合されている。この構成では、ソールの負荷時に小さく形成されたエレメントが、大きく形成されたエレメント内に進入する。この大きいエレメントはこのために受容室を形成している。
【０００４】
これまでの解決手段によれば、この種の緩衝エレメントは主として、ミッドソール内に組み込むために設けられていて、これに関する別の範例が先行技術にはある。これについて欧州特許出願公開第０３８５５０５号明細書が参照される。この明細書では、ハニカム形に形成された、シューズのミッドソール内の受容室内に挿入される緩衝エレメントが開示されている。
【０００５】
このようなシューズの製造にはもちろん相当な手間がかかる。ミッドソールを製造する際にはまず受容室をミッドソールに加工しなければならないか、もしくはこの受容室をソール製造時に一緒に製造しなければならない。それから、ミッドソールを別のシューズ構成部材と接合する前に、緩衝エレメントを製造し、この緩衝エレメントを最終的にミッドソール内に組み込まれなければならない。
【０００６】
本発明の課題は、シューズ、特にスポーツシューズを改良して、簡単な製造形式を特徴としながらも、公知の緩衝エレメントの有利な特性が省かれていないシューズ、特にスポーツシューズを提供することである。特に、シューズのばね・緩衝特性が発揮できるように保つことが可能であることが望まれる。
【０００７】
この課題の本発明による解決手段は、ミッドソールが、シューズの接地面の少なくとも一部分にわたって、専ら緩衝エレメントとして形成されていて、この緩衝エレメントが、相並んで配置された複数の第１エレメントを有していて、これらの第１エレメントが、主として負荷方向で緩衝エレメントに負荷がかかっていない状態において、規定の高さにわたって延在していて、中空体として形成され、受容室を規定し、この受容室内に所属の第２エレメントが、第１エレメントよりも小さな寸法の横断面で少なくとも部分的に進入するようになっていて、この場合、第２エレメントが、主として負荷方向で緩衝エレメントに負荷がかかっていない状態において、規定の高さにわたって延在していて、第１エレメントに対して同心的に配置されていることを特徴とする。
【０００８】
つまり本発明のコンセプトは、自体公知の緩衝エレメントを使用することがねらいであり、これによって専ら緩衝エレメントから（ミッドソールの面の少なくとも一部分にわたって）ミッドソールが形成される。
【０００９】
本発明に係るシューズは、シューアッパーとソールとが設けられているシューズ、殊にスポーツシューズであって、ソールが、シューアッパーに接合されている支持部分または内側部分と、該支持部分または内側部分に接合されているミッドソールと、該ミッドソールに接合されているアウターソールとを有している形式のものにおいて、ミッドソールが、シューズの接地面の少なくとも一部分にわたって専ら緩衝エレメントとして形成されており、該緩衝エレメントが、相並んで配置されている第１エレメントを有しており、該第１エレメントが、主として負荷方向で緩衝エレメントに負荷がかかっていない状態において、所定の高さにわたって延在しており、中空体として形成され、受容室を規定していて、該受容室内に所属の第２エレメントが、第１エレメントよりも小さい寸法の横断面で少なくとも部分的に進入するようになっており、第２エレメントが、主として負荷方向で緩衝エレメントに負荷がかかっていない状態において、所定の高さにわたって延在しおり、第１エレメントに対して同心的に配置されていることを特徴とする。
有利には、アウターソールが複数の個別のソール部分により形成されている。この構成では、各ソール部分は第２エレメントの、第１エレメントとは反対側の端部に配置されている。これにより、つまりアウターソールは分割されて形成されることになる。ミッドソールのピストン・シリンダエレメントの各「ピストン」が、地面に対するコンタクト領域においてアウターソールの一部分を保持している。
【００１０】
この場合、負荷方向に対して垂直な一断面において、アウターソールの個別の部分の形状は、有利には第２エレメントの形状に相応する。
【００１１】
自体公知のように、改良形によれば、第２エレメントは中空体として形成されてもいる。しかし、第２エレメントが完全に中実な部分または少なくとも十分に中実な部分として形成されていることも可能である。さらに、互いに対応配置されている２つのエレメントは、弾性的な接合区分を介して互いに接合されているということを提案できる。この接合区分は第１エレメントと第２エレメントとの間にのみ延在している。この場合、第１エレメントと第２エレメントとは、それぞれ接合区分と共に気密な室を形成できる。
【００１２】
第１エレメントと第２エレメントとは、負荷方向に対して垂直な少なくとも一断面において、互いに対応する形状をたいてい有している。ここではまず多角形、特に六角形の形状が考慮されているが、円形も可能である。このことから、第１エレメントと第２エレメントとの横断面ジオメトリは互いに一致するように形成されており、これによって、第２エレメントのための、第１エレメントにおける適切な受容・進入室が形成されるということが分かる。
【００１３】
有利には、ミッドソールが負荷されていない状態の第１エレメントの軸線方向の延在部は、第２エレメントの軸線方向の外側に実質的に位置している。このことから、ミッドソールが負荷されていない状態において、ピストン状の第２エレメントが、軸線方向でシリンダ状の第１エレメントの外側に配置されているということが分かる。負荷方向で緩衝エレメントが負荷されてようやく、「ピストン」が「シリンダ」内に進入する。
【００１４】
第１エレメントの側方の領域は、互いに接合することができるか、または第１エレメントの側方の制限壁を、それぞれ共通の区分から形成することができる。しかし各エレメントは別体の構成部材としても製造することができ、後に組み付けることができる。
【００１５】
第１エレメントおよび／または第２エレメントは、緩衝エレメントが負荷されていない状態において、少なくとも部分的に異なる高さを有していてよい。
【００１６】
接合区分は、緩衝エレメントが負荷されていない状態において、負荷方向に対して垂直な一平面において平坦に延びているか、または湾曲して延びていることもできる。湾曲して延びている構成によって、「ピストン」の、「シリンダ」への進入が、負荷時に助成される。
【００１７】
第１エレメントと、接合区分と、第２エレメントとは、一体に形成されている。この場合、第１エレメントと、接合区分と、第２エレメントとを、共通の射出成形プロセスにより製造することができる。
【００１８】
気密な室を形成するために、第１エレメントの、第２エレメントとの反対側の端部をシールシートに接合することができる。第２エレメントの、第１エレメントから離れた端部の気密性は、そこに載置されているアウターソールセグメントにより達成することができる。
【００１９】
エレメントの材料として、有利には、プラスチック、特に熱可塑性材料が考慮される。先行技術において公知であるように、ポリエチレン、ポリプロピレン、ポリブタン、ポリアミド、ポリウレタンまたはこれらの少なくとも２つのプラスチックの混合物が有利であることがわかった。この場合、ミッドソールのプラスチックは、特に有利には半透明または透明である。アウターソール用に同様にこのようなプラスチックが考慮され、この場合、ここではプラスチックは半透明でないか、もしくは透明でない。
【００２０】
第１エレメントと、第２エレメントと、接合区分との素材、およびこれらの部分の幾何学的な寸法は、緩衝エレメントの緩衝特性を規定するために相応に選択されている。
【００２１】
公知の解決手段とは異なり、互いに隣接しているか、もしくは互いに接合されている複数の緩衝エレメントは、ミッドソール自体である。このミッドソールを形成するこういったエレメントが専ら設けられている。場合によっては、第２エレメントの、支持部分または内側部分とは反対側の端部は、耐摩耗性および／または剛性および／または肉厚に形成されているので、第２エレメントのこの端部領域はアウターソールとして働き、かつ機能する、つまりは別体のアウターソールエレメントが、第２エレメントの端部に取り付けられてはいない。
【００２２】
ミッドソールは、ソールの負荷時に負荷方向でエネルギを受容することができ、このエネルギをソールから負荷が除かれた時に再び解放することができる。このことを、緩衝エレメントが負荷から解放された場合に復元効果を得ながら行うことができるためには、第１エレメントの軸方向の下側端部領域と、第２エレメントの軸方向の上側端部領域とが、接合区分を介して互いに接合されている。第１エレメントと第２エレメントと同じように、接合区分は弾性的なプラスチック材料から成る部材であるので、負荷方向で緩衝エレメントに対して負荷力を加える場合には変形がおこる。この場合、第２エレメントは、第１エレメントの受容室内にピストンのように進入する。
【００２３】
緩衝エレメントの放圧後に再び出発状態を得るために、接合区分だけを弾性的に構成するのではなく、さらに以下の手段を講じることができる：
第１エレメントの、第２エレメントとは反対側の端部を、シールシートに接合、特に溶接することができる。従って、第１エレメントと、第２エレメントと、接合区分と、シールシートとが、気密に閉じられた空間を形成する。この空間は最適なばね・緩衝特性を有している。
【００２４】
この場合、個別の「ピストン・シリンダエレメント」は、緩衝エレメントを形成するために、比較的大きな面状の延在部をもって並んで配置されている。「シリンダ」として働く第１エレメントが互いに接合されているのに対して、第２エレメント、つまり「ピストン」は、その間に自由なスペースをもって相並んでいる。
【００２５】
ソールエレメントのジオメトリ、および特に第１エレメントと第２エレメントとの高さおよび幅の調和、接合区分の厚さおよび構成の選択、そして最終的にこれらの部分を形成する材料の選択により、緩衝エレメントのばね・緩衝特性を任意に合わせることができるか、もしくは選択することができる。従って、緩衝エレメントのばね・緩衝特性、特にばね移動経路にわたるばね力を、所望の延びに基づき十分に選択することができる。
【００２６】
本発明に係るシューズは、有利には、アウターソールが、複数の個別のソール部分により形成され、各ソール部分が、第２エレメントの、第１エレメントとは反対側の端部に配置されているか、または第１エレメントの、第２エレメントとは反対側の端部に配置されている。
【００２７】
本発明に係るシューズは、有利には、負荷方向に対して垂直な一断面において、アウターソールの個別の部分の形状が、第２エレメントの形状または第１エレメントの形状に相応している。
【００２８】
本発明に係るシューズは、有利には、第２エレメントが、中空体としても形成されている。
【００２９】
本発明に係るシューズは、有利には、第２エレメントが、完全に中実な部分、または少なくとも十分に中実な部分として形成されている。
【００３０】
本発明に係るシューズは、有利には、互いに対応配置されている２つのエレメントが、弾性的な接合区分を介して互いに接合されており、該接合区分が、第１エレメントと第２エレメントとの間にのみ延在している。
【００３１】
本発明に係るシューズは、有利には、第１エレメントと第２エレメントとが、それぞれ接合区分と共に気密な室を形成する。
【００３２】
本発明に係るシューズは、有利には、負荷方向に対して垂直な一断面において、第１エレメントと第２エレメントとが、互いに対応する形状を有している。
【００３３】
本発明に係るシューズは、有利には、負荷方向に対して垂直な一断面において、第１エレメントと第２エレメントとが、多角形、殊に六角形の形状を有している。
【００３４】
本発明に係るシューズは、有利には、負荷方向に対して垂直な一断面において、第１エレメントと第２エレメントとが円形を有している。
【００３５】
本発明に係るシューズは、有利には、第１エレメントの側方の領域が、互いに接合されているか、または第１エレメントの側方の制限壁が、それぞれ共通の区分から形成される。
【００３６】
本発明に係るシューズは、有利には、第１エレメントおよび／または第２エレメントが、緩衝エレメントに負荷がかかっていない状態において、少なくとも部分的に異なる高さを有している。
【００３７】
本発明に係るシューズは、有利には、負荷方向に対して垂直な一平面において、接合区分が、緩衝エレメントに負荷がかかっていない状態で平坦に延びている。
【００３８】
本発明に係るシューズは、有利には、負荷方向に対して垂直な一平面において、接合区分が、緩衝エレメントに負荷がかかっていない状態で湾曲して延びている。
【００３９】
本発明に係るシューズは、有利には、第１エレメントと、接合区分と、第２エレメントとが、一体に形成されている。
【００４０】
本発明に係るシューズは、有利には、第１エレメントと、接合区分と、第２エレメントとが、１回の共通の射出成形プロセスにより製造されている。
【００４１】
本発明に係るシューズは、有利には、第１エレメントの、第２エレメントとは反対側の端部が、シールシートと接合されている。
【００４２】
本発明に係るシューズは、有利には、エレメントが、プラスチック、殊に熱可塑性材料から成っている。
【００４３】
本発明に係るシューズは、有利には、プラスチックとして、ポリエチレン、ポリプロピレン、ポリブタン、ポリアミド、ポリウレタンまたはこれらの少なくとも２つのプラスチックの混合物が用いられている。
【００４４】
本発明に係るシューズは、有利には、プラスチックが半透明または透明である。
【００４５】
本発明に係るシューズは、有利には、アウターソールが、プラスチック、好ましくはポリエチレン、ポリプロピレン、ポリブタン、ポリアミド、ポリウレタンまたはこれらの少なくとも２つのプラスチックの混合物から成っており、材料が、半透明でないかまたは透明でない。
【００４６】
本発明に係るシューズは、有利には、第１エレメントと、第２エレメントと、接合区分との素材、およびこれらの部分の幾何学的な寸法が、緩衝エレメントの緩衝特性を規定するために選択されている。
【００４７】
以下に、本発明の実施例を図面に基づき説明する。
【００４８】
図１にシューズ、つまりはスポーツシューズを単に極めて概略的に示した。このシューズは、公知にはソール２と接合しているシューアッパー１を備えている。
【００４９】
ソール２は、前方ソール領域８で特定の面状の延在部にわたって拡張されて形成されている。ソール２は、後方ソール領域９においても同様に規定の面状の延在部にわたって拡張されている。
【００５０】
ソール２の構造は、詳しくは図２から明らかになる。ソール２は３つの（ソール）部分から、つまりは支持部分または内側部分２′と、ミッドソール２″と、アウターソール２′′′とから成っている。支持部分または内側部分２′は内側ソール、つまりインソール、またはストローベルソール、またはシューアッパー１の実際の材料であってよい。支持部分または内側部分２′は、シューアッパー１とミッドソール２″との間の接合部分を形成する。特に有利な構成は、支持部分または内側部分２′が、プラスチック射出成形部分として（有利にはＥＶＡから）製造されていて、皿形に形成されているようになっている。
【００５１】
支持部分または内側部分２′は、シューアッパー１と接合している。この接合部分は、たとえば１回の射出成形プロセスにより製造することができ、支持部分または内側部分２′を形成するプラスチック材料は射出成形により、たとえば繊維材料から成るアッパー１に固着される。同様に、シューアッパー１と支持部分または内側部分２′との接着も可能である。
【００５２】
ミッドソール２″は複数の緩衝エレメントから成っている。これらの緩衝エレメントは、ピストン・シリンダシステムの形式で構成されている。ミッドソール２″の、支持部分または内側部分２′から離れた端部には、アウターソール２′′′が配置されている。このアウターソール２′′′は、緩衝エレメントの数に相応する数のソールセグメント２′′′から成っている。
【００５３】
必ずしも全てのソールを既述したように構成する必要はないことに注意されたい。たとえば、前方ソール領域８だけを既述したように構成することができ、後方ソール領域９を公知の形式で構成することができる。
【００５４】
ソール２の詳細な構造は、図２および図３を概観することで明らかになる。
【００５５】
ミッドソール２″を形成する個々の緩衝エレメントは本実施例では、ソール２の負荷方向Ｒで見て、ハニカムパターンのように六角形の基本形状をもって形成されている（図２参照）。
【００５６】
各緩衝エレメントは、第１エレメント３を有していて、この第１エレメント３は、規定の高さＨにわたって延在していて、受容室４を形成する。ウェブ状の接合区分６を介して、第１エレメント３の、支持部分または内側部分２′とは反対側の端部は、第２エレメント５と接合している。この第２エレメントは方向Ｒで見て、第１エレメント３の形状に対応する形状を有していて、つまりは第２エレメント５も、本実施例では六角形の形状を有している。第２エレメント５は、所定の高さｈにわたって延在していて、この高さｈは高さＨと同じである必要はない。
【００５７】
図３から明らかであるように、第１エレメント３の幅Ｂと第２エレメント５の幅ｂとの寸法は、第２エレメント５が、緩衝エレメントに負荷がかかる場合に負荷方向Ｒで受容室４内に進入することができるように選択されている。この受容室４は第１エレメント３により規定されている。従って、第１エレメント３と第２エレメント５とはテレスコープ式緩衝器のように働く。この場合、第１エレメント３は「シリンダ」として働き、第１エレメント３内に、第２エレメント５が「ピストン」のように進入することができる。
【００５８】
第２エレメント５の、支持部分または内側部分２′とは反対側の端部に、アウターソールセグメント２′′′が取り付けられていて、たとえば接着されているか、または射出成形により直接固着されてもいる。このアウターソールセグメント２′′′は、たとえば耐摩耗性のプラスチック材料から成っている。方向Ｒで見て、アウターソールセグメント２′′′は、第２エレメント５の形状に対応する形状を有してもいる。しかし必ずしもそうである必要はない。
【００５９】
アウターソールセグメント２′′′に、シューズの接地時にもたらされるように、方向Ｒで力が加えられると、まず接合区分６が変形し、これによって、既述したように第２エレメント５が、ピストンのように第１エレメント３の受容室４内に進入する。
【００６０】
バウンド特性を有利に発揮させるために、第１エレメント３と、接合区分６と、第２エレメント５とによって取り囲まれているスペースを、気密に形成することができる。
【００６１】
場合によっては、支持部分または内側部分２′に対する気密性をシート７により形成することができる。このシート７は必要に応じて、第１エレメント３の、支持部分または内側部分２′寄りの端部領域に接着されるかまたは溶接される。
【００６２】
公知の解決手段の場合にはアウターソールは、有利には常に面状に延在するエレメントとして形成されていて、このエレメントは地面に対する接触面の少なくとも１つの実質的な領域を形成しているのに対して、本発明ではつまりアウターソールが分割されて形成されていて、第２エレメントに固定されている。
【図面の簡単な説明】
【００６３】
【図１】側方から見たシューズの概略図である。
【図２】図１の「Ｚ」部分の拡大図である。
【図３】図２のＡ−Ｂの断面図である。
【符号の説明】
【００６４】
１  シューアッパー、  ２  ソール、  ２′  支持部分または内側部分、  ２″  ミッドソール、  ２′′′  アウターソール、  ３  第１エレメント、  ４  受容室、  ５  第２エレメント、  ６  接合区分、  ７  シールシート、  ８  前方ソール領域、  ９  後方ソール領域、  Ｒ  負荷方向、  Ｈ  第１エレメントの高さ、  ｈ  第２エレメントの高さ、  Ｂ  第１エレメントの寸法、  ｂ  第２エレメントの寸法
【図１】
2008528074.tif 000003
【図２】
2008528074.tif 000004
【図３】
2008528074.tif 000005
【手続補正書】
【提出日】平成18年11月17日(2006.11.17)
【手続補正１】
【補正対象書類名】明細書
【補正対象項目名】０００４
【補正方法】変更
【補正の内容】
【０００４】
これまでの解決手段によれば、この種の緩衝エレメントは主として、ミッドソール内に組み込むために設けられていて、これに関する別の範例が先行技術にはある。これについて欧州特許出願公開第０３８５５０５号明細書が参照される。この明細書では、ハニカム形に形成された、シューズのミッドソール内の受容室内に挿入される緩衝エレメントが開示されている。
「ピストンシリンダシステム」形式のばね・緩衝エレメントを有する同様の解決手段が、ＵＳ４５２１９７９および米国特許出願公開第２００３／００３３７３１号明細書によって開示されている。
【手続補正２】
【補正対象書類名】明細書
【補正対象項目名】０００７
【補正方法】変更
【補正の内容】
【０００７】
この課題の本発明による解決手段は、ミッドソールが、シューズの接地面の少なくとも一部分にわたって、専ら緩衝エレメントとして形成されていて、この緩衝エレメントが、相並んで配置された複数の第１エレメントを有していて、これらの第１エレメントが、主として負荷方向で緩衝エレメントに負荷がかかっていない状態において、規定の高さにわたって延在していて、中空体として形成され、受容室を規定し、この受容室内に所属の第２エレメントが、第１エレメントよりも小さな寸法の横断面で少なくとも部分的に進入するようになっていて、この場合、第２エレメントが、主として負荷方向で緩衝エレメントに負荷がかかっていない状態において、規定の高さにわたって延在していて、第１エレメントに対して同心的に配置されていて、この場合、アウターソールが複数の個別のソール部分により形成されていて、この構成では、各ソール部分は、第２エレメントの、第１エレメントとは反対側の端部に配置されているか、または第１エレメントの、第２エレメントとは反対側の端部に配置されていて、この場合、互いに対応配置されている２つのエレメントは、弾性的な接合区分を介して互いに接合されていて、この接合区分が、ただ第１エレメントと第２エレメントとの間に延在していて、この場合、緩衝エレメントが負荷されていない状態において、第２エレメントが、負荷方向で見て第１エレメントの外側に位置していることを特徴とする。
【手続補正３】
【補正対象書類名】明細書
【補正対象項目名】０００８
【補正方法】変更
【補正の内容】
【０００８】
つまり本発明のコンセプトは、自体公知の緩衝エレメントを使用することがねらいであり、これによって専ら緩衝エレメントから（ミッドソールの面の少なくとも一部分にわたって）ミッドソールが形成される。さらに、アウターソールは分割されて形成され、ミッドソールのピストンシリンダエレメントの各「ピストン」が、地面に対する接触領域においてアウターソールの一部分を保持している。
【手続補正４】
【補正対象書類名】明細書
【補正対象項目名】０００９
【補正方法】変更
【補正の内容】
【０００９】
本発明に係るシューズは、シューアッパーとソールとが設けられているシューズ、殊にスポーツシューズであって、ソールが、シューアッパーに接合されている支持部分または内側部分と、該支持部分または内側部分に接合されているミッドソールと、該ミッドソールに接合されているアウターソールとを有している形式のものにおいて、ミッドソールが、シューズの接地面の少なくとも一部分にわたって専ら緩衝エレメントとして形成されており、該緩衝エレメントが、相並んで配置されている第１エレメントを有しており、該第１エレメントが、主として負荷方向で緩衝エレメントに負荷がかかっていない状態において、所定の高さにわたって延在しており、中空体として形成され、受容室を規定していて、該受容室内に所属の第２エレメントが、第１エレメントよりも小さい寸法の横断面で少なくとも部分的に進入するようになっており、第２エレメントが、主として負荷方向で緩衝エレメントに負荷がかかっていない状態において、所定の高さにわたって延在しおり、第１エレメントに対して同心的に配置されていることを特徴とする。
【手続補正５】
【補正対象書類名】特許請求の範囲
【補正対象項目名】全文
【補正方法】変更
【補正の内容】
【特許請求の範囲】
【請求項１】
シューアッパー（１）とソール（２）とが設けられているシューズ、特にスポーツシューズであって、ソール（２）が、シューアッパー（１）に接合されている支持部分または内側部分（２′）と、該支持部分または内側部分（２′）に接合されているミッドソール（２″）と、該ミッドソール（２″）に接合されているアウターソール（２′′′）とを有している形式のものにおいて、
ミッドソール（２″）が、シューズの接地面の少なくとも一部分にわたって専ら緩衝エレメントとして形成されており、該緩衝エレメントが、相並んで配置されている第１エレメント（３）を有しており、該第１エレメント（３）が、主として負荷方向（Ｒ）で緩衝エレメントに負荷がかかっていない状態において、所定の高さ（Ｈ）にわたって延在して、中空体として形成され、受容室（４）を規定しており、該受容室（４）内に所属の第２エレメント（５）が、第１エレメント（３）よりも小さい寸法の横断面で少なくとも部分的に進入するようになっており、
第２エレメント（５）が、主として負荷方向（Ｒ）で緩衝エレメントに負荷がかかっていない状態において、所定の高さ（ｈ）にわたって延在しおり、第１エレメント（３）に対して同心的に配置されており、
アウターソール（２′′′）が、複数の個別のソール部分により形成され、
各ソール部分が、第２エレメント（５）の、第１エレメント（３）とは反対側の端部に配置されているか、または第１エレメント（３）の、第２エレメント（５）とは反対側の端部に配置されており、
互いに対応配置されている２つのエレメント（３，５）が、弾性的な接合区分（６）を介して互いに接合されており、該接合区分（６）が、ただ第１エレメント（３）と第２エレメント（５）との間に延在しており、
第２エレメント（５）が、緩衝エレメントに負荷がかかっていない状態において、負荷方向（Ｒ）で見て、第１エレメント（３）の外側に位置していることを特徴とするシューズ。
【請求項２】
負荷方向（Ｒ）に対して垂直な一断面において、アウターソール（２′′′）の個別の部分の形状が、第２エレメント（５）の形状または第１エレメント（３）の形状に相応している、請求項１記載のシューズ。
【請求項３】
第２エレメント（５）が、中空体としても形成されている、請求項１または２記載のシューズ。
【請求項４】
第２エレメント（５）が、完全に中実な部分、または少なくとも十分に中実な部分として形成されている、請求項１または２記載のシューズ。
【請求項５】
第１エレメント（３）と第２エレメント（５）とが、それぞれ接合区分（６）と共に気密な室を形成する、請求項１から４までのいずれか一項記載のシューズ。
【請求項６】
負荷方向（Ｒ）に対して垂直な一断面において、第１エレメント（３）と第２エレメント（５）とが、互いに対応する形状を有している、請求項１から５までのいずれか一項記載のシューズ。
【請求項７】
負荷方向（Ｒ）に対して垂直な一断面において、第１エレメント（３）と第２エレメント（５）とが、多角形、殊に六角形の形状を有している、請求項６記載のシューズ。
【請求項８】
負荷方向（Ｒ）に対して垂直な一断面において、第１エレメント（３）と第２エレメント（５）とが、円形を有している、請求項６記載のシューズ。
【請求項９】
第１エレメント（３）の側方の領域が、互いに接合されているか、または第１エレメント（３）の側方の制限壁が、それぞれ共通の区分から形成される、請求項１から８までのいずれか一項記載のシューズ。
【請求項１０】
第１エレメント（３）および／または第２エレメント（５）が、緩衝エレメントに負荷がかかっていない状態において、少なくとも部分的に異なる高さ（Ｈ，ｈ）を有している、請求項１から９までのいずれか一項記載のシューズ。
【請求項１１】
負荷方向（Ｒ）に対して垂直な一平面において、接合区分（６）が、緩衝エレメントに負荷がかかっていない状態において、平坦に延びている、請求項１から１０までのいずれか一項記載のシューズ。
【請求項１２】
負荷方向（Ｒ）に対して垂直な一平面において、接合区分（６）が、緩衝エレメントに負荷がかかっていない状態において、湾曲して延びている、請求項１から１０までのいずれか一項記載のシューズ。
【請求項１３】
第１エレメント（３）と、接合区分（６）と、第２エレメント（５）とが、一体に形成されている、請求項１から１２までのいずれか一項記載のシューズ。
【請求項１４】
第１エレメント（３）と、接合区分（６）と、第２エレメント（５）とが、１回の共通の射出成形プロセスにより製造されている、請求項１３記載のシューズ。
【請求項１５】
第１エレメント（３）の、第２エレメント（５）とは反対側の端部が、シールシート（７）に接合されている、請求項１から１４までのいずれか一項記載のシューズ。
【請求項１６】
エレメント（３，５）が、プラスチック、殊に熱可塑性材料から成っている、請求項１から１５までのいずれか一項記載のシューズ。
【請求項１７】
プラスチックとして、ポリエチレン、ポリプロピレン、ポリブタン、ポリアミド、ポリウレタンまたはこれらの少なくとも２つのプラスチックの混合物が用いられている、請求項１６記載のシューズ。
【請求項１８】
プラスチックが半透明または透明である、請求項１６または１７記載のシューズ。
【請求項１９】
アウターソール（２′′′）が、プラスチック、好ましくはポリエチレン、ポリプロピレン、ポリブタン、ポリアミド、ポリウレタンまたはこれらの少なくとも２つのプラスチックの混合物から成っており、材料が、半透明でないかまたは透明でない、請求項１から１８までのいずれか一項記載のシューズ。
【請求項２０】
第１エレメント（３）と、第２エレメント（５）と、接合区分（６）との素材、および第１エレメント（３）と、第２エレメント（５）と、接合区分（６）との部分の幾何学的な寸法が、緩衝エレメントの緩衝特性を規定するために選択されている、請求項１から１９までのいずれか一項記載のシューズ。
【国際調査報告】
2008528074.tif 000006
2008528074.tif 000007
2008528074.tif 000008
2008528074.tif 000009
2008528074.tif 000010
2008528074.tif 000011